(57)【要約】      （修正有）【課題】支柱に対してビームの端部を連結するときの作業性を向上できる防護柵用ブラケット及びその製造方法、当該防護柵用ブラケットを備える防護柵、その防護柵の施工方法を提供する。【解決手段】防護柵用ブラケットは、受けブラケット２０を備え、受けブラケット２０の第１受け部２６は、第１受け部本体２９の内側の空間に第１ビーム３ａの端部が受け入れられたときにその端部を支持する第１支持部３１とを有し、第１受け部本体２９は第１受け部貫通孔２９ａを有し、第１支持部３１は、一方の第１ビーム貫通孔１２ａの上縁部に下から当接することにより一対の第１ビーム貫通孔１２ａと第１受け部貫通孔２９ａとがそれらの貫通孔への第１ビーム固定ボルトの挿通が可能となる程度に相互に合致する位置に第１ビーム３ａの端部を支持するように第１受け部貫通孔２９ａの上縁部から第１受け部本体２９の内側の空間へ突出している。【選択図】図３
2020066855.tif 000002
【特許請求の範囲】
【請求項１】
上下方向に延びる支柱と、その支柱の長手方向と交差する特定方向に延びるとともにその特定方向において前記支柱に対して一方側に配置される管状のビームとを有し、前記ビームは前記支柱に隣接する端部を有していてこの端部の管壁には前記ビームの径方向において互いに対向する位置に一対のビーム貫通孔が設けられている防護柵に用いられ、前記支柱に取り付けられるとともに、前記一対のビーム貫通孔に挿通されたボルトとそのボルトに螺合されるナットによって前記ビームの端部に締結されることにより、前記支柱と前記ビームの端部とを連結する防護柵用ブラケットであって、
前記支柱に取り付け可能な支柱取付部と前記支柱取付部が前記支柱に取り付けられた状態で前記支柱取付部から前記一方側へ延びて前記ビームの端部を受けて保持する受け部とを有する受けブラケットと、
前記受け部との間で前記ビームの端部を挟み込むように前記ビームの端部に被せられて前記ボルトと前記ナットにより前記受け部とともに前記ビームの端部に締結される被せ部を有する被せブラケットと、を備え、
前記受け部は、前記支柱の長手方向及び前記ビームの長手方向の両方に対して直交する水平方向に沿って前記ビームの端部を受け入れ可能となるように開口した湾曲形状をなす受け部本体と、前記受け部本体の内側の空間に前記ビームの端部が受け入れられたときにそのビームの端部を支持する支持部とを有し、
前記受け部本体は、前記ボルトが前記水平方向に沿って挿通されるのを許容する受け部貫通孔を有し、
前記支持部は、前記一対のビーム貫通孔のうちの一方のビーム貫通孔の上縁部に下から当接することにより前記一対のビーム貫通孔と前記受け部貫通孔とがそれらの貫通孔への前記ボルトの挿通が可能となる程度に相互に合致する位置に前記ビームの端部を支持するように前記受け部貫通孔の上縁部から前記受け部本体の内側の空間へ突出し、
前記被せ部は、前記ボルトが挿通されるのを許容する被せ部貫通孔を有し、
前記被せ部貫通孔は、前記被せ部が前記ビームの端部に被せられたときに前記一対のビーム貫通孔と当該被せ部貫通孔への前記ボルトの挿通が可能となる程度に前記一対のビーム貫通孔と合致する位置に設けられている、防護柵用ブラケット。
【請求項２】
前記支持部は、前記受け部本体に繋がる基端部とその反対側の先端部とを有し、
前記先端部は、前記基端部よりも高い位置にある、請求項１に記載の防護柵用ブラケット。
【請求項３】
請求項１又は２に記載の防護柵用ブラケットを製造するための方法であって、
前記受けブラケットを作製する受けブラケット作製工程を備え、
前記受けブラケット作製工程は、前記受けブラケットの素材である板材に前記受け部貫通孔を打ち抜くと同時にその受け部貫通孔の縁部から前記支持部を展開した形状で当該前記受け部貫通孔の内側に突出する支持部展開部を形成する打ち抜き工程と、前記打ち抜き工程後の板材を成型して湾曲形状の前記受け部本体を形成する受け部本体形成工程と、前記支持部展開部を前記受け部本体の内側へ曲げ加工することにより前記支持部を形成する支持部形成工程と、を含む、防護柵用ブラケットの製造方法。
【請求項４】
特定方向に沿って間隔をあけて並ぶように設置されて上下方向に延びる複数の支柱と、
前記複数の支柱の隣り合うもの同士の間に配置されて前記特定方向に延びる複数の管状のビームと、
前記複数の支柱の各々に取り付け可能な請求項１又は２に記載の防護柵用ブラケットと、
前記各支柱に隣接する前記ビームの端部と前記防護柵用ブラケットとを締結するボルト及びナットと、を備え、
前記ビームの端部の管壁には、前記ビームの径方向において互いに対向する位置に一対のビーム貫通孔が設けられ、
前記防護柵用ブラケットの前記受け部の前記支持部は、前記一対のビーム貫通孔のうちの一方のビーム貫通孔に挿通されてその一方のビーム貫通孔の上縁部に下から当接することにより、前記受け部の内側の空間に受け入れられた前記ビームの端部を支持し、
前記受け部の前記受け部貫通孔と前記一対のビーム貫通孔は、前記受け部貫通孔の上縁部が前記支持部上に載置された状態で当該受け部貫通孔と前記一対のビーム貫通孔とがそれらの貫通孔への前記ボルトの挿通が可能となる程度に相互に合致する形状を有し、
前記防護柵用ブラケットの前記被せ部の前記被せ部貫通孔と前記一対のビーム貫通孔は、前記被せ部が前記ビームの端部に被せられた状態で当該被せ部貫通孔と前記一対のビーム貫通孔とがそれらの貫通孔への前記ボルトの挿通が可能となる程度に相互に合致する形状を有する、防護柵。
【請求項５】
請求項４に記載の防護柵を施工する方法であって、
前記複数の支柱が特定方向に沿って間隔をあけて並び且つ上下方向に延びるように当該複数の支柱を設置する支柱設置工程と、
前記複数の支柱の各々に前記受けブラケットを取り付ける受けブラケット取付工程と、
前記複数の支柱の隣り合うもの同士の間に前記ビームをそれぞれ配置し、そのビームの端部を対応する前記受けブラケットの前記受け部本体の内側の空間に前記水平方向に沿って挿入するとともに前記一対のビーム貫通孔のうちの一方のビーム貫通孔の上縁部を前記支持部上に載置することにより前記受け部に前記ビームの端部を前記一対のビーム貫通孔と前記受け部貫通孔とがそれらの貫通孔への前記ボルトの挿通が可能となる程度に相互に合致する位置に保持させるビーム端部保持工程と、
前記ビームの端部が前記受け部と前記被せブラケットの前記被せ部との間で挟み込まれるとともに前記被せ部貫通孔と前記一対のビーム貫通孔とがそれらの貫通孔への前記ボルトの挿通が可能となる程度に相互に合致するように前記被せ部を前記ビームの端部に被せる被せ工程と、
前記被せ部貫通孔と前記一対のビーム貫通孔と前記受け部貫通孔とに前記ボルトを挿通し、そのボルトと当該ボルトに螺合させた前記ナットとにより前記受け部と前記ビームの端部と前記被せ部とを締結する締結工程と、を備える、防護柵の施工方法。
【発明の詳細な説明】
【技術分野】
【０００１】
本発明は、防護柵用ブラケット、防護柵用ブラケットの製造方法、防護柵及び防護柵の施工方法に関する。
【背景技術】
【０００２】
従来、道路に沿って延びるように設置される防護柵が知られている。この防護柵は、道路に沿って間隔をあけて設置されて上下方向に延びる複数の支柱と、その複数の支柱の隣り合うもの同士の間にそれぞれ配置されて支柱の長手方向と交差する方向に延びる複数のビームと、各支柱とその支柱に隣接するビームの端部とを連結する複数の防護柵用ブラケットと、を備えている。下記特許文献１には、このような防護柵で用いられる防護柵用ブラケットの一例である取付金具が開示されている。
【０００３】
下記特許文献１に開示された取付金具は、支柱に取り付けられてビームの端部を受ける受け金具と、支柱に取り付けられるとともに前記ビームの端部のうち前記受け金具から突出した部分に被せられて前記ビームの端部を前記受け金具とともに保持する被せ金具と、を有する。
【０００４】
前記受け金具は、斜め上方に開口した円弧状の縦断面を有するように湾曲した受け部を有し、取付金具を介してビームの端部を支柱に連結するときにこの受け部の内側にビームの端部を受け入れてそのビームの端部を保持できるようになっている。前記受け部には、当該受け部を貫通する通孔が設けられている。また、前記被せ金具は、前記受け部と概ね対称形となる円弧状の縦断面を有するように湾曲した被せ部を有し、ビームの端部のうち前記受け部から突出した部分にこの被せ部が被せられて当該被せ部と前記受け部との間でビームの端部を挟み込むようになっている。前記被せ部には、前記受け部の通孔と対向する位置に当該被せ部を貫通する通孔が設けられている。
【０００５】
ビームは円管状であり、当該ビームの端部の管壁には当該管壁を貫通する一対の取付孔がビームの径方向に互いに対向する位置に設けられている。ビームの端部は、前記のように被せ部と受け部との間に挟み込まれた状態で前記一対の取付孔と被せ部の通孔と受け部の通孔に固定ボルトが挿通されるとともに、その固定ボルトと当該固定ボルトに螺合されたナットとにより受け部と被せ部に締結されている。
【０００６】
支柱に対するビームの端部の連結時には、まず、支柱に対して取り付けた受け金具の受け部の内側の空間にビームの端部が嵌まり込むように当該ビームの端部を受け部上に仮置きするとともに、そのビームの端部に設けられた取付孔の位置が受け部の通孔の位置と合致するようにビームの軸回りの向きを調節する。そして、被せ金具を支柱に取り付けて当該被せ金具の被せ部と前記受け部との間でビームの端部を挟み込み、被せ部の通孔とビームの端部の取付孔と受け部の通孔に固定ボルトを挿通する。最後に、固定ボルトにナットを螺合させてその固定ボルトとナットにより被せ部とビームの端部と受け部を締結する。
【先行技術文献】
【特許文献】
【０００７】
【特許文献１】特許第４７６７８８１号公報
【発明の概要】
【発明が解決しようとする課題】
【０００８】
しかしながら、前記特許文献１の取付金具では、当該取付金具を介してビームの端部を支柱に連結するときの作業性が悪いという問題点がある。
【０００９】
具体的に、前記取付金具によってビームの端部を支柱に連結するときには、受け金具の受け部上にビームの端部を仮置きした後、受け部の通孔とビームの端部の取付孔にボルトを挿通できるようにするために、ビームの軸回りの向きを調節して受け部の通孔にビームの端部の取付孔の位置を合わせる作業が必要であり、長尺のビームを取り扱って行うそのような作業は煩雑である。また、受け部の通孔にビームの端部の取付孔の位置を一旦合わせた後、ビームが意図せず軸回りに多少回転して受け部の通孔からビームの端部の取付孔の位置がずれる虞があり、この場合には前記通孔と前記取付孔との位置合わせのための作業を再度行う必要がある。以上のことから、前記取付金具を介してビームの端部を支柱に連結するときの作業性が悪くなる。
【００１０】
本発明の目的は、支柱に対してビームの端部を連結するときの作業性を向上することが可能な防護柵用ブラケット及びその製造方法、当該防護柵用ブラケットを備える防護柵、その防護柵の施工方法を提供することである。
【課題を解決するための手段】
【００１１】
本発明により提供される防護柵用ブラケットは、上下方向に延びる支柱と、その支柱の長手方向と交差する特定方向に延びるとともにその特定方向において前記支柱に対して一方側に配置される管状のビームとを有し、前記ビームは前記支柱に隣接する端部を有していてこの端部の管壁には前記ビームの径方向において互いに対向する位置に一対のビーム貫通孔が設けられている防護柵に用いられ、前記支柱に取り付けられるとともに、前記一対のビーム貫通孔に挿通されたボルトとそのボルトに螺合されるナットによって前記ビームの端部に締結されることにより、前記支柱と前記ビームの端部とを連結する防護柵用ブラケットである。この防護柵用ブラケットは、前記支柱に取り付け可能な支柱取付部と前記支柱取付部が前記支柱に取り付けられた状態で前記支柱取付部から前記一方側へ延びて前記ビームの端部を受けて保持する受け部とを有する受けブラケットと、前記受け部との間で前記ビームの端部を挟み込むように前記ビームの端部に被せられて前記ボルトと前記ナットにより前記受け部とともに前記ビームの端部に締結される被せ部を有する被せブラケットと、を備える。前記受け部は、前記支柱の長手方向及び前記ビームの長手方向の両方に対して直交する水平方向に沿って前記ビームの端部を受け入れ可能となるように開口した湾曲形状をなす受け部本体と、前記受け部本体の内側の空間に前記ビームの端部が受け入れられたときにそのビームの端部を支持する支持部とを有する。前記受け部本体は、前記ボルトが前記水平方向に沿って挿通されるのを許容する受け部貫通孔を有する。前記支持部は、前記一対のビーム貫通孔のうちの一方のビーム貫通孔の上縁部に下から当接することにより前記一対のビーム貫通孔と前記受け部貫通孔とがそれらの貫通孔への前記ボルトの挿通が可能となる程度に相互に合致する位置に前記ビームの端部を支持するように前記受け部貫通孔の上縁部から前記受け部本体の内側の空間へ突出している。前記被せ部は、前記ボルトが挿通されるのを許容する被せ部貫通孔を有する。前記被せ部貫通孔は、前記被せ部が前記ビームの端部に被せられたときに前記一対のビーム貫通孔と当該被せ部貫通孔への前記ボルトの挿通が可能となる程度に前記一対のビーム貫通孔と合致する位置に設けられている。
【００１２】
この防護柵用ブラケットでは、支柱に取り付けられた受けブラケットの受け部本体の内側の空間にビームの端部を挿入してそのビームの端部に設けられた一対のビーム貫通孔のうちの一方のビーム貫通孔の上縁部を前記支持部に支持させるだけで一対のビーム貫通孔と受け部貫通孔とを位置合わせすることができるとともに、その一対のビーム貫通孔と受け部貫通孔の位置が合った状態を保持できるため、当該防護柵用ブラケットを介して支柱にビームの端部を連結するときの作業性を向上できる。
【００１３】
具体的に、当該防護柵用ブラケットでは、受けブラケットの受け部の支持部が、一対のビーム貫通孔のうちの一方のビーム貫通孔の上縁部に下から当接することにより一対のビーム貫通孔と受け部貫通孔とがそれらの貫通孔へのボルトの挿通が可能となる程度に相互に合致する位置にビームの端部を支持するように受け部貫通孔の上縁部から受け部本体の内側の空間へ突出しているため、支柱に取り付けられた受けブラケットの受け部本体の内側の空間にビームの端部を挿入して前記一方のビーム貫通孔の上縁部を前記支持部上に載置すれば、自動的に一対のビーム貫通孔と受け部貫通孔とがそれらの貫通孔へのボルトの挿通が可能となるように位置合わせされて、その位置合わせされた状態が保持される。そして、受け部に保持されたビームの端部に被せブラケットの被せ部を被せれば、その被せ部に設けられた被せ部貫通孔と一対のビーム貫通孔とがそれらの貫通孔へのボルトの挿通が可能となるように位置合わせされる。このため、ビームの端部を受けブラケットの受け部に保持させた後、もしくは、被せ部をビームの端部に被せた後に一対のビーム貫通孔と受け部貫通孔とを位置合わせするためにビームの軸回りの向きを調節する作業を行う必要がなく、また、受け部貫通孔及び被せ部貫通孔と一対のビーム貫通孔の位置がずれるのを抑止できるため、一対のビーム貫通孔と受け部貫通孔と被せ部貫通孔とを位置合わせするための作業を再度行う必要もない。従って、当該防護柵用ブラケットによれば、当該防護柵用ブラケットを介して支柱にビームの端部を連結するときに一対のビーム貫通孔と受け部貫通孔と被せ部貫通孔にボルトを挿通できるようにするために、一対のビーム貫通孔と受け部挿通孔とを位置合わせするための作業負担を削減でき、その結果、支柱にビームの端部を連結するときの作業性を向上できる。
【００１４】
前記支持部は、前記受け部本体に繋がる基端部とその反対側の先端部とを有し、前記先端部は、前記基端部よりも高い位置にあることが好ましい。
【００１５】
この構成によれば、ビームの自重を利用して前記一方のビーム貫通孔の上縁部が支持部の先端部を越えて脱落するのを抑止できる。このため、受け部にビームの端部をより安定して保持させることができる。
【００１６】
また、本発明により提供される防護柵用ブラケットの製造方法は、前記の防護柵用ブラケットを製造するための方法である。この防護柵用ブラケットの製造方法は、前記受けブラケットを作製する受けブラケット作製工程を備え、前記受けブラケット作製工程は、前記受けブラケットの素材である板材に前記受け部貫通孔を打ち抜くと同時にその受け部貫通孔の縁部から前記支持部を展開した形状で当該前記受け部貫通孔の内側に突出する支持部展開部を形成する打ち抜き工程と、前記打ち抜き工程後の板材を成型して湾曲形状の前記受け部本体を形成する受け部本体形成工程と、前記支持部展開部を前記受け部本体の内側へ曲げ加工することにより前記支持部を形成する支持部形成工程と、を含む。
【００１７】
この防護柵用ブラケットの製造方法によれば、受けブラケット作製工程の打ち抜き工程において受け部貫通孔の形成と同時に支持部の原形となる支持部展開部を形成できるため、受け部貫通孔の形成とは全く別に支持部を形成するような場合に比べて工程数を削減することができる。
【００１８】
また、本発明により提供される防護柵は、特定方向に沿って間隔をあけて並ぶように設置されて上下方向に延びる複数の支柱と、前記複数の支柱の隣り合うもの同士の間に配置されて前記特定方向に延びる複数の管状のビームと、前記複数の支柱の各々に取り付け可能な前記防護柵用ブラケットと、前記各支柱に隣接する前記ビームの端部と前記防護柵用ブラケットとを締結するボルト及びナットと、を備える。前記ビームの端部の管壁には、前記ビームの径方向において互いに対向する位置に一対のビーム貫通孔が設けられている。前記防護柵用ブラケットの前記受け部の前記支持部は、前記一対のビーム貫通孔のうちの一方のビーム貫通孔に挿通されてその一方のビーム貫通孔の上縁部に下から当接することにより、前記受け部の内側の空間に受け入れられた前記ビームの端部を支持する。前記受け部の前記受け部貫通孔と前記一対のビーム貫通孔は、前記受け部貫通孔の上縁部が前記支持部上に載置された状態で当該受け部貫通孔と前記一対のビーム貫通孔とがそれらの貫通孔への前記ボルトの挿通が可能となる程度に相互に合致する形状を有する。前記防護柵用ブラケットの前記被せ部の前記被せ部貫通孔と前記一対のビーム貫通孔は、前記被せ部が前記ビームの端部に被せられた状態で当該被せ部貫通孔と前記一対のビーム貫通孔とがそれらの貫通孔への前記ボルトの挿通が可能となる程度に相互に合致する形状を有する。
【００１９】
この防護柵では、前記防護柵用ブラケットを用いて各支柱とその支柱に隣接するビームの端部とが連結されるので、前記防護柵用ブラケットについて説明した理由と同様の理由により、支柱にビームの端部を連結するときの作業性を向上できる。
【００２０】
本発明により提供される防護柵の施工方法は、前記の防護柵を施工する方法である。この防護柵の施工方法は、前記複数の支柱が特定方向に沿って間隔をあけて並び且つ上下方向に延びるように当該複数の支柱を設置する支柱設置工程と、前記複数の支柱の各々に前記受けブラケットを取り付ける受けブラケット取付工程と、前記複数の支柱の隣り合うもの同士の間に前記ビームをそれぞれ配置し、そのビームの端部を対応する前記受けブラケットの前記受け部本体の内側の空間に前記水平方向に沿って挿入するとともに前記一対のビーム貫通孔のうちの一方のビーム貫通孔の上縁部を前記支持部上に載置することにより前記受け部に前記ビームの端部を前記一対のビーム貫通孔と前記受け部貫通孔とがそれらの貫通孔への前記ボルトの挿通が可能となる程度に相互に合致する位置に保持させるビーム端部保持工程と、前記ビームの端部が前記受け部と前記被せブラケットの前記被せ部との間で挟み込まれるとともに前記被せ部貫通孔と前記一対のビーム貫通孔とがそれらの貫通孔への前記ボルトの挿通が可能となる程度に相互に合致するように前記被せ部を前記ビームの端部に被せる被せ工程と、前記被せ部貫通孔と前記一対のビーム貫通孔と前記受け部貫通孔とに前記ボルトを挿通し、そのボルトと当該ボルトに螺合させた前記ナットとにより前記受け部と前記ビームの端部と前記被せ部とを締結する締結工程と、を備える。
【００２１】
この防護柵の施工方法では、前記ビーム端部保持工程において、ビームの端部を対応する受けブラケットの受け部本体の内側の空間に挿入するとともに前記一方のビーム貫通孔の上縁部を受け部の支持部上に載置することにより受け部にビームの端部を一対のビーム貫通孔と受け部貫通孔とがそれらの貫通孔へのボルトの挿通が可能となる程度に相互に一致する位置に保持させるため、受け部にビームの端部を保持させた後に一対のビーム貫通孔を受け部貫通孔に位置合わせする作業が不要となるとともに、一旦位置合わせされた一対のビーム貫通孔と受け部貫通孔が位置ずれするのを抑止できる。このため、防護柵用ブラケットを介して支柱にビームの端部を連結するときの作業性を向上できる。
【発明の効果】
【００２２】
以上説明したように、本発明によれば、支柱に対してビームの端部を連結するときの作業性を向上することが可能な防護柵用ブラケット及びその製造方法、当該防護柵用ブラケットを備える防護柵、その防護柵の施工方法を提供できる。
【図面の簡単な説明】
【００２３】
【図１】本発明の一実施形態による防護柵の正面図である。
【図２】本発明の一実施形態による防護柵のうち防護柵用ブラケットにより連結された支柱とビームの端部との連結箇所の斜視図である。
【図３】図２に示した連結箇所の分解斜視図である。
【図４】前記連結箇所の正面図である。
【図５】支柱上端のキャップを取り外した状態における前記連結箇所の平面図である。
【図６】前記連結箇所を図５中の矢印ＶＩ方向から見た図である。
【図７】図５中のＶＩＩ−ＶＩＩ線に沿った断面図である。
【図８】本発明の一実施形態による防護柵用ブラケットの受けブラケットの作製工程を説明するための図であって、その作製工程の打ち抜き工程で打ち抜かれる受けブラケット展開部材の平面図である。
【図９】前記受けブラケットの作製工程を説明するための図であって、その作製工程の第１成型工程により成型される第１成型品の斜視図である。
【図１０】前記受けブラケットの作製工程を説明するための図であって、その作製工程の第２成型工程により成型される第２成型品の斜視図である。
【図１１】前記受けブラケットの作製工程を説明するための図であって、その作製工程の第３成型工程により成型される受けブラケットの斜視図である。
【図１２】本発明の一実施形態による防護柵の施工工程において受けブラケットを支柱に取り付けた状態を示す平面図である。
【図１３】図１２中の矢印ＸＩIＩ方向から見た図である。
【図１４】支柱に取り付けた受けブラケットに第１ビームの端部と第２ビームの端部を保持させた状態を示す平面図である。
【図１５】図１４中のＸＶ−ＸＶ線に沿った断面図である。
【図１６】受けブラケットに保持させた第１ビームの端部及び第２ビームの端部と支柱に対して被せブラケットを被せた状態を示す平面図である。
【図１７】図１６中の矢印ＸＶＩI方向から見た図である。
【図１８】図１６中のＸＶＩIＩ−ＸＶＩIＩ線に沿った断面図である。
【図１９】本発明の一実施形態の変形例による防護柵の正面図である。
【発明を実施するための形態】
【００２４】
以下、本発明の実施形態について図面を参照して説明する。
【００２５】
本発明の一実施形態による防護柵１は、道路やその隣接箇所に設置されて所定の領域とその外側の領域との間を仕切り、前記所定の領域上から外側の領域へ人等が進入又は転落するのを防止するためのものである。具体的には、本実施形態による防護柵１は、歩道の幅方向の両端部のうち歩道の外側の領域に隣接する方の端部上に歩道の延びる方向に沿って設置され、歩道上から前記外側の領域へ人等が進入又は転落するのを防止する歩道柵である。
【００２６】
防護柵１は、複数の支柱２（図１参照）と、複数のビーム３と、複数の防護柵用ブラケット４と、複数の支柱固定ボルト５（図５参照）と、複数の支柱固定ナット６と、複数の第１ビーム固定ボルト７と、複数の第１ビーム固定ナット８と、複数の第２ビーム固定ボルト９と、複数の第２ビーム固定ナット１０と、を備える。
【００２７】
複数の支柱２は、防護柵１の設置場所に特定方向に沿って間隔をあけて並ぶように設置され、それぞれ上下方向に延びている。具体的には、複数の支柱２は、前記外側の領域に隣接する歩道の端部上に歩道の延びる方向に沿って間隔をあけて並んで設置され、それぞれ鉛直方向に延びている。
【００２８】
各支柱２は、中空の円管状をなしている。各支柱２には、上下方向に間隔をおいた複数箇所（本実施形態では４箇所）においてそれぞれ当該支柱２の管壁を貫通する支柱貫通孔１１（図３参照）が設けられている。
【００２９】
支柱貫通孔１１は、前記複数箇所のそれぞれにおいて支柱２の管壁に２つずつ設けられている。各箇所に設けられた２つの支柱貫通孔１１は、支柱２の径方向において互いに対向する位置にある。具体的には、各箇所に設けられた２つの支柱貫通孔１１のうちの一方の支柱貫通孔１１は支柱２の管壁のうち歩道の外側を向く部位に設けられ、他方の支柱貫通孔１１は支柱２の管壁のうち歩道の内側を向く部位に設けられている。なお、図３では、前記複数箇所の中で最も上の箇所に設けられた２つの支柱貫通孔１１のうち前記歩道の内側を向く部位に設けられた支柱貫通孔１１のみを示しており、前記歩道の外側を向く部位に設けられた支柱貫通孔１１の図示は省略している。
【００３０】
また、最も上の箇所以外の箇所に設けられた支柱貫通孔１１は、最も上の箇所に設けられた２つの支柱貫通孔１１と同様に配置されているため、その図示及び説明を省略する。
【００３１】
複数のビーム３（図１参照）は、複数の支柱２の隣り合うもの同士の間にそれぞれ配置されている。本実施形態では、複数の支柱２の隣り合うもの同士の間に４本のビーム３が上下に間隔をおいて配置されている。各ビーム３は、中空の円管状をなし、複数の支柱２が並ぶ特定方向、具体的には歩道の延びる方向に沿って延びている。換言すれば、各ビーム３は、支柱２の長手方向（上下方向）に対して直交する方向に延びている。各ビーム３の長手方向の一端部と他端部は、それぞれ対応する支柱２に隣接して配置されている。各ビーム３の長手方向の一端部の管壁と他端部の管壁には、それぞれ一対ずつビーム貫通孔１２（図３参照）が設けられている。なお、図３では、支柱２の両側に隣接する２つのビーム３のうち一方のビーム３の端部については一対のビーム貫通孔１２のうちの一方のみが表されている。各ビーム貫通孔１２は、ビーム３の長手方向に延びる長角孔である。
【００３２】
各ビーム３の前記一端部の管壁に設けられた一対のビーム貫通孔１２は、ビーム３の径方向において互いに対向する位置にある（図７参照）。具体的には、各ビーム３の前記一端部の管壁に設けられた一対のビーム貫通孔１２の一方は前記一端部の管壁のうち歩道の外側を向く部位に設けられ、他方は前記一端部の管壁のうち歩道の内側を向く部位に設けられている。また、各ビーム３の前記他端部の管壁に設けられた一対のビーム貫通孔１２は、前記一端部の管壁に設けられた一対のビーム貫通孔１２と同様に配置されている。以下、各ビーム３の各端部の管壁のうち歩道の外側を向く部位に設けられた一方のビーム貫通孔１２を外寄りのビーム貫通孔１２と称し、各ビーム３の各端部の管壁のうち歩道の内側を向く部位に設けられた他方のビーム貫通孔１２を内寄りのビーム貫通孔１２と称する。
【００３３】
また、以下、場合により、支柱２に対して一方側に隣接するビーム３を第１ビーム３ａと称し、支柱２に対して第１ビーム３ａと反対側に隣接するビーム３を第２ビーム３ｂと称する。また、第１ビーム３ａの端部に設けられたビーム貫通孔１２を第１ビーム貫通孔１２ａと称し、第２ビーム３ｂの端部に設けられたビーム貫通孔１２を第２ビーム貫通孔１２ｂと称する。
【００３４】
第１ビーム貫通孔１２ａの直径は、後述のように水平方向に沿って第１ビーム３ａの端部を第１受け部本体２９の内側の空間へ挿入したときに第１支持部３１が水平方向に沿って当該第１ビーム貫通孔１２ａに挿通されるのを許容する大きさに設定されている。また、第２ビーム貫通孔１２ｂの直径は、後述のように水平方向に沿って第２ビーム３ｂの端部を第２受け部本体３２の内側の空間へ挿入したときに第２支持部３４が水平方向に沿って当該第２ビーム貫通孔１２ｂに挿通されるのを許容する大きさに設定されている。
【００３５】
複数の防護柵用ブラケット４（図１参照）は、複数の支柱２の各々とその支柱２に隣接する第１ビーム３ａの端部及び第２ビーム３ｂの端部とを連結するものである。具体的には、防護柵用ブラケット４は、各支柱２に取り付けられるとともに、後述のように一対の第１ビーム貫通孔１２ａに挿通された第１ビーム固定ボルト７とその第１ビーム固定ボルト７に螺合された第１ビーム固定ナット８とによって第１ビーム３ａの端部に締結され、また後述のように一対の第２ビーム貫通孔１２ｂに挿通された第２ビーム固定ボルト９とその第２ビーム固定ボルト９に螺合された第２ビーム固定ナット１０とによって第２ビーム３ｂの端部に締結されることにより、各支柱２と対応する第１及び第２ビーム３ａ，３ｂの端部とを連結する。
【００３６】
１つの支柱２に対する第１及び第２ビーム３ａ，３ｂの端部の連結箇所は上下方向（支柱２の長手方向）に沿って間隔をおいて複数個所（本実施形態では４箇所）あり、防護柵用ブラケット４はその複数の連結箇所のそれぞれに対して適用されている。図２〜図６では、前記複数の連結箇所の中で最も上の連結箇所の構成が示されているが、それ以外の連結箇所の構成も最も上の連結箇所の構成と同様である。このため、以下、図２〜図６を参照して、最も上の連結箇所の防護柵用ブラケット４を例にとって説明し、それ以外の連結箇所の防護柵用ブラケット４についての説明は省略する。
【００３７】
防護柵用ブラケット４は、図２に示すように、受けブラケット２０と被せブラケット２２からなる。
【００３８】
受けブラケット２０は、防護柵用ブラケット４を介して第１及び第２ビーム３ａ，３ｂの端部を支柱２に連結するときに、支柱２に取り付けられて第１及び第２ビーム３ａ，３ｂの端部を受けることによりそれらの端部を保持するものである。この受けブラケット２０は、図２及び図３に示すように、支柱取付部２４と、第１受け部２６と、受け側第１端部カバー部３６と、第２受け部２８と、受け側第２端部カバー部３８と、を有する。
【００３９】
支柱取付部２４は、支柱２を歩道の幅方向外側から覆う状態で支柱２に取り付けられる部分である。この支柱取付部２４は、支柱２の長手方向（支柱２の軸心方向）に沿う方向から見て歩道の幅方向の内向きに開口した湾曲形状をなしている。当該支柱取付部２４の中央部には、当該支柱取付部２４を貫通する取付孔２４ａが設けられている。この取付孔２４ａは、防護柵１の長手方向（防護柵１が延びる方向）に沿う方向に延びる長孔になっている。支柱取付部２４は、歩道の内向きの開口から当該支柱取付部２４の内側の空間に支柱２を受け入れて支柱２に沿うように配置された状態で後述のように支柱固定ボルト５及び支柱固定ナット６により支柱２に取り付けられている。
【００４０】
また、支柱取付部２４は、防護柵１の長手方向に沿う方向における支柱２の幅（支柱２の外径）よりも大きい同方向の内寸を有する（図５参照）。この支柱取付部２４の内寸は、当該支柱取付部２４が前記のように支柱２に取り付けられた状態で、防護柵１の長手方向に沿う方向において前記支柱２と当該支柱取付部２４のうちその支柱２の両側に位置する部分との間にそれぞれ隙間が設けられるような寸法に設定されている。
【００４１】
第１受け部２６（図２参照）は、前記支柱取付部２４が支柱２に取り付けられた状態、すなわち受けブラケット２０が支柱２に取り付けられた状態で、支柱２に隣接する前記第１ビーム３ａの端部を受けて保持する部分である。第１受け部２６は、防護柵１の長手方向に沿う方向において支柱取付部２４から一方側へ延びており、支柱取付部２４と一体的に形成されている。この第１受け部２６は、図３に示すように、第１受け部本体２９と、第１支持部３１とを有する。
【００４２】
第１受け部本体２９は、第１ビーム３ａの外周面に沿うように湾曲した形状をなし、その第１ビーム３ａの端部のうち歩道の外寄りの略半周部分を覆うように配置される。具体的に、この第１受け部本体２９は、支柱２の長手方向及び第１ビーム３ａの長手方向の両方に対して直交する水平方向に沿って第１ビーム３ａの端部を受け入れ可能となるように歩道の幅方向の内向きに開口した湾曲形状をなしている。当該第１受け部本体２９は、略半円状の縦断面を有する。当該第１受け部本体２９は、歩道の内向きの開口から当該第１受け部本体２９の内側の空間に第１ビーム３ａの端部のうち歩道の外寄りの略半周部分を受け入れ、その略半周部分を覆うように配置される。
【００４３】
第１受け部本体２９は、第１ビーム固定ボルト７が前記水平方向に沿って挿通される第１受け部貫通孔２９ａを有する。この第１受け部貫通孔２９ａは、第１受け部本体２９の上下方向の中央部に設けられ、当該第１受け部本体２９を前記水平方向において貫通している。また、この第１受け部貫通孔２９ａは、防護柵１の長手方向に沿う方向に延びる長孔になっている。
【００４４】
第１支持部３１は、図７に示すように、第１受け部本体２９の内側の空間に受け入れられた第１ビーム３ａの端部を支持するものである。この第１支持部３１は、前記一対の第１ビーム貫通孔１２ａのうちの一方の第１ビーム貫通孔１２ａの上縁部に下から当接することにより一対の第１ビーム貫通孔１２ａと第１受け部貫通孔２９ａとがそれらの貫通孔への第１ビーム固定ボルト７の軸部の挿通が可能となる程度に相互に合致する位置（重なる位置）に第１ビーム３ａの端部を支持するように第１受け部貫通孔２９ａの上縁部から第１受け部本体２９の内側の空間へ突出している。換言すれば、前記第１受け部貫通孔２９ａと一対の第１ビーム貫通孔１２ａは、前記一方の第１ビーム貫通孔１２ａの上縁部が第１支持部３１上に載置された状態で第１受け部貫通孔２９ａと一対の第１ビーム貫通孔１２ａとがそれらの貫通孔への第１ビーム固定ボルト７の軸部の挿通が可能となる程度に相互に合致する形状を有する。そして、第１支持部３１によって第１ビーム３ａの端部が支持されることにより、一対の第１ビーム貫通孔１２ａと第１受け部貫通孔２９ａとが前記水平方向に沿って並ぶようになっている。
【００４５】
この第１支持部３１は、第１受け部本体２９に繋がる基端部３１ａとその反対側の先端部３１ｂとを有し、先端部３１ｂは基端部３１ａよりも高い位置にある。本実施形態では、第１支持部３１は、基端部３１ａから先端部３１ｂへ向かうにつれて上方へ向かうように直線的に斜めに延びている。
【００４６】
受け側第１端部カバー部３６は、後述の被せ側第１端部カバー部４８と協同して第１ビーム３ａの端部を覆い隠すものである。この受け側第１端部カバー部３６は、第１受け部本体２９の支柱取付部２４寄りの端の上縁から下方へ延びており、第１ビーム３ａの長手方向に沿う方向において第１受け部本体２９の内側の空間に面している。
【００４７】
第２受け部２８（図２参照）は、前記支柱取付部２４が支柱２に取り付けられた状態で支柱２に隣接する前記第２ビーム３ｂの端部を受けて保持する部分である。第２受け部２８は、防護柵１の長手方向に沿う方向において支柱取付部２４から第１受け部２６と反対側へ延びており、支柱取付部２４と一体的に形成されている。この第２受け部２８は、図３に示すように、第２受け部本体３２と、第２支持部３４とを有する。
【００４８】
第２受け部本体３２は、第２ビーム３ｂの外周面に沿うように湾曲した形状をなし、その第２ビーム３ｂの端部のうち歩道の外寄りの略半周部分を覆うように配置される。具体的に、この第２受け部本体３２は、支柱２の長手方向及び第２ビーム３ａの長手方向の両方に対して直交する水平方向に沿って第２ビーム３ｂの端部を受け入れ可能となるように歩道の幅方向の内向きに開口した湾曲形状をなしている。この第２受け部本体３２は、前記第１受け部本体２９と対称形をなしている。この第２受け部本体３２は、歩道の内向きの開口から当該第２受け部本体３２の内側の空間に第２ビーム３ｂの端部のうち歩道の外寄りの略半周部分を受け入れ、その略半周部分を覆うように配置される。
【００４９】
第２受け部本体３２は、第２ビーム固定ボルト９が前記水平方向に沿って挿通される第２受け部貫通孔３２ａを有する。この第２受け部貫通孔３２ａは、第２受け部本体３２の上下方向の中央部に設けられ、当該第２受け部本体３２を前記水平方向において貫通している。また、第２受け部貫通孔３２ａは、防護柵１の長手方向に沿う方向に延びる長孔になっている。
【００５０】
第２支持部３４は、第２受け部本体３２の内側の空間に受け入れられた第２ビーム３ｂの端部を支持するものである。この第２支持部３４は、前記一対の第２ビーム貫通孔１２ｂのうちの一方の第２ビーム貫通孔１２ｂの上縁部に下から当接することにより一対の第２ビーム貫通孔１２ｂと第２受け部貫通孔３２ａとがそれらの貫通孔への第２ビーム固定ボルト９の軸部の挿通が可能となる程度に相互に合致する位置（重なる位置）に第２ビーム３ｂの端部を支持するように第２受け部貫通孔３２ａの上縁部から第２受け部本体３２の内側の空間へ突出している。換言すれば、前記第２受け部貫通孔３２ａと一対の第２ビーム貫通孔１２ｂは、前記一方の第２ビーム貫通孔１２ｂの上縁部が第２支持部３４上に載置された状態で第２受け部貫通孔３２ａと一対の第２ビーム貫通孔１２ｂとがそれらの貫通孔への第２ビーム固定ボルト９の軸部の挿通が可能となる程度に相互に合致する形状を有する。そして、第２支持部３４によって第２ビーム３ｂの端部が支持されることにより、一対の第２ビーム貫通孔１２ｂと第２受け部貫通孔３２ａとが前記水平方向に沿って並ぶようになっている。
【００５１】
この第２支持部３４は、第２受け部本体３２に繋がる基端部３４ａとその反対側の先端部３４ｂとを有し、先端部３４ｂは基端部３４ａよりも高い位置にある。本実施形態では、第２支持部３４は、前記第１支持部３１と同様、基端部３４ａから先端部３４ｂへ向かうにつれて上方へ向かうように直線的に斜めに延びている。
【００５２】
受け側第２端部カバー部３８は、後述の被せ側第２端部カバー部５０と協同して第２ビーム３ｂの端部を覆い隠すものである。この受け側第２端部カバー部３８は、第２受け部本体３２の支柱取付部２４寄りの端の上縁から下方へ延びており、第２ビーム３ｂの長手方向に沿う方向において第２受け部本体３２の内側の空間に面している。
【００５３】
また、受けブラケット２０は、図３及び図６に示すように、上側補強リブ４０及び下側補強リブ４１を有する。この上側補強リブ４０及び下側補強リブ４１は、受けブラケット２０の強度を増すためのものである。上側補強リブ４０は、前記取付孔２４ａの上側の位置で支柱取付部２４と第１受け部本体２９及び第２受け部本体３２のうち支柱取付部２４に隣接する部位とに亘って筋状に外側へ膨出するように設けられている。また、下側補強リブ４１は、前記取付孔２４ａの下側の位置で支柱取付部２４と第１受け部本体２９及び第２受け部本体３２のうち支柱取付部２４に隣接する部位とに亘って筋状に外側へ膨出するように設けられている。
【００５４】
被せブラケット２２（図２参照）は、前記第１受け部２６に保持された第１ビーム３ａの端部のうち第１受け部２６から突出する部分と前記第２受け部２８に保持された第２ビーム３ｂの端部のうち第２受け部２８から突出する部分とに被せられて前記第１受け部２６とともに第１ビーム３ａの端部に締結され且つ前記第２受け部２８とともに第２ビーム３ｂの端部に締結されるものである。
【００５５】
この被せブラケット２２は、図２〜図４に示すように、支柱カバー部４２と、第１被せ部４４と、第２被せ部４６と、被せ側第１端部カバー部４８と、被せ側第２端部カバー部５０とを有する。
【００５６】
支柱カバー部４２は、支柱２を歩道の幅方向内側から覆う部分である。この支柱カバー部４２は、前記受けブラケット２０の支柱取付部２４と対称形となる湾曲形状をなしている。当該支柱カバー部４２の長手方向（防護柵１の長手方向に沿う方向）の中央部には、支柱２に締結された支柱固定ボルト５の頭部を受け入れるスリット４２ａが設けられている。このスリット４２ａは、支柱カバー部４２において下向きに開口しており、当該支柱カバー部４２の下縁から上方へ延びている。支柱カバー部４２は、このスリット４２ａ内に支柱固定ボルト５の頭部を受け入れた状態で支柱２を歩道の幅方向内側から覆うように配置される。
【００５７】
また、支柱カバー部４２は、防護柵１の長手方向に沿う方向において前記支柱取付部２４と同じ内寸を有する（図５参照）。このため、前記支柱取付部２４の場合と同様、防護柵１の長手方向に沿う方向において支柱２と当該支柱カバー部４２のうちその支柱２の両側に位置する部分との間にそれぞれ隙間が設けられている。
【００５８】
第１被せ部４４は、前記第１受け部２６との間で第１ビーム３ａの端部をその第１ビーム３ａの径方向において挟み込むように第１ビーム３ａの端部に被せられて第１ビーム固定ボルト７と第１ビーム固定ナット８により第１受け部２６とともに第１ビーム３ａの端部に締結される部分である。この第１被せ部４４は、前記第１受け部２６に保持された第１ビーム３ａの端部のうちその第１受け部２６（前記第１受け部本体２９）から突出する歩道の内寄りの略半周部分に被せられている。第１被せ部４４は、防護柵１の長手方向に沿う方向において支柱カバー部４２から一方側（前記第１受け部２６と同じ側）へ延びており、支柱カバー部４２と一体的に形成されている。この第１被せ部４４は、前記第１受け部本体２９と対称形となる湾曲形状をなしている。
【００５９】
第１被せ部４４は、当該第１被せ部４４を前記水平方向に貫通していて第１ビーム固定ボルト７が前記水平方向に沿って挿通される第１被せ部貫通孔４４ａを有する。この第１被せ部貫通孔４４ａは、第１被せ部４４が第１ビーム３ａの端部に被せられたときに一対の第１ビーム貫通孔１２ａと当該第１被せ部貫通孔４４ａへの第１ビーム固定ボルト７の軸部の挿通が可能となる程度に一対の第１ビーム貫通孔１２ａと合致する位置（重なる位置）に設けられている。換言すれば、第１被せ部貫通孔４４ａと一対の第１ビーム貫通孔１２ａは、第１被せ部４４が第１ビーム３ａの端部に被せられた状態で第１被せ部貫通孔４４ａと一対の第１ビーム貫通孔１２ａとがそれらの貫通孔への第１ビーム固定ボルト７の軸部の挿通が可能となる程度に相互に合致する形状を有している。また、この第１被せ部貫通孔４４ａは、防護柵１の長手方向に沿う方向に延びる長孔になっている。
【００６０】
被せ側第１端部カバー部４８は、前記受け側第１端部カバー部３６と協同して第１ビーム３ａの端部を覆い隠すものである。この被せ側第１端部カバー部４８は、第１被せ部４４の支柱カバー部４２寄りの端の上縁から下方へ延びており、第１ビーム３ａの長手方向に沿う方向において第１被せ部４４の内側の空間に面している。当該被せ側第１端部カバー部４８は、前記受け側第１端部カバー部３６と対称形となるように構成されている。
【００６１】
第２被せ部４６（図２参照）は、前記第２受け部２８との間で第２ビーム３ｂの端部を挟み込むように第２ビーム３ｂの端部に被せられて第２ビーム固定ボルト９と第２ビーム固定ナット１０により第２受け部２８とともに第２ビーム３ｂの端部に締結される部分である。この第２被せ部４６は、前記第２受け部２８に保持された第２ビーム３ｂの端部のうちその第２受け部２８（前記第２受け部本体３２）から突出する歩道の内寄りの略半周部分に被せられている。第２被せ部４６は、防護柵１の長手方向に沿う方向において支柱カバー部４２から前記第１被せ部４４と反対側（前記第２受け部２８と同じ側）へ延びており、支柱カバー部４２と一体的に形成されている。この第２被せ部４６は、前記第２受け部本体３２と対称形となる湾曲形状をなしている。
【００６２】
第２被せ部４６は、当該第２被せ部４６を前記水平方向に貫通していて第２ビーム固定ボルト９が前記水平方向に沿って挿通される第２被せ部貫通孔４６ａを有する。この第２被せ部貫通孔４６ａは、第２被せ部４６が第２ビーム３ｂの端部に被せられたときに一対の第２ビーム貫通孔１２ｂと当該第２被せ部貫通孔４６ａへの第２ビーム固定ボルト９の軸部の挿通が可能となる程度に一対の第２ビーム貫通孔１２ｂと合致する位置（重なる位置）に設けられている。換言すれば、第２被せ部貫通孔４６ａと一対の第２ビーム貫通孔１２ｂは、第２被せ部４６が第２ビーム３ｂの端部に被せられた状態で第２被せ部貫通孔４６ａと一対の第２ビーム貫通孔１２ｂとがそれらの貫通孔への第２ビーム固定ボルト９の軸部の挿通が可能となる程度に相互に合致する形状を有している。また、この第２被せ部貫通孔４６ａは、防護柵１の長手方向に沿う方向に延びる長孔になっている。
【００６３】
被せ側第２端部カバー部５０は、前記受け側第２端部カバー部３８と協同して第２ビーム３ｂの端部を覆い隠すものである。この被せ側第２端部カバー部５０は、第２被せ部４６の支柱カバー部４２寄りの端の上縁から下方へ延びており、第２ビーム３ｂの長手方向に沿う方向において第２被せ部４６の内側の空間に面している。当該被せ側第２端部カバー部５０は、前記被せ側第１端部カバー部４８と対称形となるように構成されている。
【００６４】
また、被せブラケット２２は、図３、図４及び図６に示すように、上側補強リブ５２及び下側補強リブ５４を有する。この上側補強リブ５２及び下側補強リブ５４は、被せブラケット２２の強度を増すためのものである。上側補強リブ５２は、前記スリット４２ａの上側の位置で支柱カバー部４２と第１被せ部４４及び第２被せ部４６のうち支柱カバー部４２に隣接する部位とに亘って筋状に膨出するように設けられている。また、下側補強リブ５４は、上側補強リブ５２から下側へ離れた位置で前記スリット４２ａを挟んで両側に設けられ、支柱カバー部４２と第１被せ部４４及び第２被せ部４６のうち支柱カバー部４２に隣接する部位とに亘って筋状に膨出するように設けられている。
【００６５】
支柱固定ボルト５（図２及び図５参照）は、受けブラケット２０の支柱取付部２４に設けられた取付孔２４ａと、支柱２に設けられた一対の支柱貫通孔１１とに挿通され、支柱固定ナット６と協同して支柱取付部２４を支柱２に締結するものである。当該支柱固定ボルト５は、歩道の内側から外側へ向かって支柱２の一対の支柱貫通孔１１及び支柱取付部２４の取付孔２４ａに挿通され、当該支柱固定ボルト５の頭部は支柱２に対して歩道の内寄りに位置する。また、支柱固定ナット６は、前記支柱取付部２４に対して歩道の外寄りの位置で支柱固定ボルト５に螺合される。
【００６６】
第１ビーム固定ボルト７は、前記第１被せ部貫通孔４４ａと、第１ビーム３ａの端部の管壁に設けられた一対の第１ビーム貫通孔１２ａと、前記第１受け部貫通孔２９ａとに挿通され、第１ビーム固定ナット８と協同して第１受け部２６と第１ビーム３ａの端部と第１被せ部４４とを締結するものである。当該第１ビーム固定ボルト７は、歩道の内側から外側へ向かって第１被せ部貫通孔４４ａ、一対の第１ビーム貫通孔１２ａ及び第１受け部貫通孔２９ａに挿通され、当該第１ビーム固定ボルト７の頭部は第１被せ部４４に対して歩道の内寄りに位置する。また、第１ビーム固定ナット８は、第１受け部２６に対して歩道の外寄りの位置で第１ビーム固定ボルト７に螺合される。
【００６７】
第２ビーム固定ボルト９は、前記第２被せ部貫通孔４６ａと、第２ビーム３ｂの端部の管壁に設けられた一対の第２ビーム貫通孔１２ｂと、前記第２受け部貫通孔３２ａとに挿通され、第２ビーム固定ナット１０と協同して第２受け部２８と第２ビーム３ｂの端部と第２被せ部４６とを締結するものである。当該第２ビーム固定ボルト９は、歩道の内側から外側へ向かって第２被せ部貫通孔４６ａ、一対の第２ビーム貫通孔１２ｂ及び第２受け部貫通孔３２ａに挿通され、当該第２ビーム固定ボルト９の頭部は第２被せ部４６に対して歩道の内寄りに位置する。また、第２ビーム固定ナット１０は、第２受け部３２に対して歩道の外寄りの位置で第２ビーム固定ボルト９に螺合される。
【００６８】
本実施形態では、支柱２に取り付けられた受けブラケット２０の第１受け部本体２９の内側の空間に第１ビーム３ａの端部を挿入してその第１ビーム３ａの端部に設けられた一対の第１ビーム貫通孔１２ａのうちの一方の第１ビーム貫通孔１２ａの上縁部を第１支持部３１に支持させるだけで一対の第１ビーム貫通孔１２ａと第１受け部貫通孔２９ａとを位置合わせすることができる。また、支柱２に取り付けられた受けブラケット２０の第２受け部本体３２の内側の空間に第２ビーム３ｂの端部を挿入してその第２ビーム３ｂの端部に設けられた一対の第２ビーム貫通孔１２ｂのうちの一方の第２ビーム貫通孔１２ｂの上縁部を第２支持部３４に支持させるだけで一対の第２ビーム貫通孔１２ｂと第２受け部貫通孔３２ａとを位置合わせすることができる。このため、本実施形態による防護柵用ブラケット４を介して支柱２に第１及び第２ビーム３ａ，３ｂの端部を連結するときの作業性を向上できる。
【００６９】
具体的に、本実施形態の防護柵用ブラケット４では、第１受け部２６の第１支持部３１が、前記一方の第１ビーム貫通孔１２ａの上縁部に下から当接することにより一対の第１ビーム貫通孔１２ａと第１受け部貫通孔２９ａとがそれらの貫通孔への第１ビーム固定ボルト７の挿通が可能となる程度に相互に合致する位置に第１ビーム３ａの端部を支持するように第１受け部貫通孔２９ａの上縁部から第１受け部本体２９の内側の空間へ突出している。また、第２受け部２８の第２支持部３４が、前記一方の第２ビーム貫通孔１２ｂの上縁部に下から当接することにより一対の第２ビーム貫通孔１２ｂと第２受け部貫通孔３２ａとがそれらの貫通孔への第２ビーム固定ボルト９の挿通が可能となる程度に相互に合致する位置に第２ビーム３ｂの端部を支持するように第２受け部貫通孔３２ａの上縁部から第２受け部本体３２の内側の空間へ突出している。このため、支柱２に取り付けられた受けブラケット２０の第１受け部本体２９の内側の空間に第１ビーム３ａの端部を挿入して前記一方の第１ビーム貫通孔１２ａの上縁部を第１支持部３１上に載置すれば、自動的に、一対の第１ビーム貫通孔１２ａと第１受け部貫通孔２９ａとがそれらの貫通孔への第１ビーム固定ボルト７の挿通が可能となるように位置合わせされるとともに、その位置合わせされた状態が保持される。また、同様に、前記受けブラケット２０の第２受け部本体３２の内側の空間に第２ビーム３ｂの端部を挿入して前記一方の第２ビーム貫通孔１２ｂの上縁部を第２支持部３４上に載置すれば、自動的に、一対の第２ビーム貫通孔１２ｂと第２受け部貫通孔２９ａとがそれらの貫通孔への第２ビーム固定ボルト９の挿通が可能となるように位置合わせされる。
【００７０】
そして、第１受け部２６に保持された第１ビーム３ａの端部に被せブラケット２２の第１被せ部４４を被せれば、第１被せ部貫通孔４４ａと一対の第１ビーム貫通孔１２ａとがそれらの貫通孔への第１ビーム固定ボルト７の挿通が可能となるように位置合わせされる。また、第２受け部２８に保持された第２ビーム３ｂの端部に被せブラケット２２の第２被せ部４６を被せれば、第２被せ部貫通孔４６ａと一対の第２ビーム貫通孔１２ｂとがそれらの貫通孔への第２ビーム固定ボルト９の挿通が可能となるように位置合わせされる。
【００７１】
従って、第１及び第２ビーム３ａ，３ｂの端部を受けブラケット２０の第１及び第２受け部２６，２８に保持させた後、一対の第１ビーム貫通孔１２ａと第１受け部貫通孔２９ａとを位置合わせするために第１ビーム３ａの軸回りの向きを調節する作業を行う必要がなく、一対の第２ビーム貫通孔１２ｂと第２受け部貫通孔３２ａとを位置合わせするために第２ビーム３ｂの軸回りの向きを調節する作業を行う必要がない。
【００７２】
また、第１及び第２受け部２６，２８に第１及び第２ビーム３ａ，３ｂの端部を保持させた後、第１受け部貫通孔２９ａの位置から一対の第１ビーム貫通孔１２ａの位置がずれるのを抑止できるとともに、第２受け部貫通孔３２ａの位置から一対の第２ビーム貫通孔１２ｂの位置がずれるのを抑止できる。このため、一対の第１ビーム貫通孔１２ａと第１受け部貫通孔２９ａとを位置合わせするための作業及び一対の第２ビーム貫通孔１２ｂと第２受け部貫通孔３２ａとを位置合わせするための作業を再度行う必要もない。
【００７３】
従って、本実施形態によれば、防護柵用ブラケット４を介して支柱２に第１及び第２ビーム３ａ，３ｂの端部を連結するときに一対の第１ビーム貫通孔１２ａと第１受け部貫通孔２９ａに第１ビーム固定ボルト７を挿通できるようにするため及び一対の第２ビーム貫通孔１２ｂと第２受け部貫通孔３２ａに第２ビーム固定ボルト９を挿通できるようにするために、一対の第１ビーム貫通孔１２ａと第１受け部貫通孔２９ａとの位置合わせ及び一対の第２ビーム貫通孔１２ｂと第２受け部貫通孔３２ａとの位置合わせのための作業負担を削減できる。その結果、支柱２に第１及び第２ビーム３ａ，３ｂの端部を連結するときの作業性を向上できる。
【００７４】
また、本実施形態では、第１支持部３１の先端部３１ｂが基端部３１ａよりも高い位置にあるので、第１ビーム３ａの自重を利用して、第１支持部３１上に載置された前記一方の第１ビーム貫通孔１２ａの上縁部が第１支持部３１の先端部３１ｂを越えて脱落するのを抑止できる。同様に、第２支持部３４の先端部３４ｂが基端部３４ａよりも高い位置にあるので、第２ビーム３ｂの自重を利用して、第２支持部３４上に載置された前記一方の第２ビーム貫通孔１２ｂの上縁部が第２支持部３４の先端部３４ｂを越えて脱落するのを抑止できる。よって、本実施形態では、第１受け部２６に第１ビーム３ａの端部をより安定して保持させることができるとともに、第２受け部２８に第２ビーム３ｂの端部をより安定して保持させることができる。
【００７５】
次に、図８〜図１１を参照して、本実施形態による防護柵１に用いられる防護柵用ブラケット４の製造方法について説明する。この防護柵用ブラケット４の製造方法は、前記受けブラケット２０を作製する受けブラケット作製工程と、前記被せブラケット２２を作製する被せブラケット作製工程とを備える。
【００７６】
（受けブラケット作製工程）
この受けブラケット作製工程では、まず受けブラケット２０の素材である板材（鋼板）から打ち抜き機により図８に示す受けブラケット展開部材２０ａを打ち抜く打ち抜き工程を行う。受けブラケット展開部材２０ａは、受けブラケット２０を平板状に展開した形状を有する。
【００７７】
受けブラケット展開部材２０ａは、支柱取付部２４を展開した形状を有する支柱取付部展開部２４ｂと、第１受け部本体２９を展開した形状を有する第１受け部本体展開部２９ｂと、第１支持部３１を展開した形状を有する第１支持部展開部３１ｃと、受け側第１端部カバー部３６を展開した形状を有する第１端部カバー部展開部３６ａと、第２受け部本体３２を展開した形状を有する第２受け部本体展開部３２ｂと、第２支持部３４を展開した形状を有する第２支持部展開部３４ｃと、受け側第２端部カバー部３８を展開した形状を有する第２端部カバー部展開部３８ａと、を有する。
【００７８】
前記第１支持部展開部３１ｃは、第１受け部本体展開部２９ｂに形成された第１受け部貫通孔２９ａの縁部からその第１受け部貫通孔２９ａの内側に突出する平板状の突起部である。また、前記第２支持部展開部３４ｃは、第２受け部本体展開部３２ｂに形成された第２受け部貫通孔３２ａの縁部からその第２受け部貫通孔３２ａの内側に突出する平板状の突起部である。
【００７９】
従って、この打ち抜き工程では、第１受け部貫通孔２９ａを打ち抜くと同時にその第１受け部貫通孔２９ａの縁部から第１支持部３１を展開した形状で当該第１受け部貫通孔２９ａの内側に突出する第１支持部展開部３１ｃを形成するとともに、第２受け部貫通孔３２ａを打ち抜くと同時にその第２受け部貫通孔３２ａの縁部から第２支持部３４を展開した形状で当該第２受け部貫通孔３２ａの内側に突出する第２支持部展開部３４ｃを形成する。
【００８０】
次に、前記受けブラケット展開部材２０ａから受けブラケット２０の外形を形成するための第１成型工程を行い、図９に示す第１成型品２０ｂを作製する。この第１成型工程は、本発明における受け部本体形成工程の一例である。この第１成型工程では、前記受けブラケット展開部材２０ａを金型にセットしてプレス機でプレス成型することにより第１成型品２０ｂを作製する。この際、前記支柱取付部展開部２４ｂを湾曲した形状の支柱取付部２４に成型し、前記第１受け部本体展開部２９ｂを湾曲した形状の第１受け部本体２９に成型し、前記第２受け部本体展開部３２ｂを湾曲した形状の第２受け部本体３２に成型する。また、前記第１端部カバー部展開部３６ａを曲げ起こすことにより第１端部カバー部中間形状部３６ｂを形成し、前記第２端部カバー部展開部３８ａを曲げ起こすことにより第２端部カバー部中間形状部３８ｂを形成する。
【００８１】
次に、前記第１成型品２０ｂに上側補強リブ４０及び下側補強リブ４１を形成する第２成型工程を行い、図１０に示す第２成型品２０ｃを作製する。この第２成型工程では、前記第１成型工程で用いた金型とは別の金型に前記第１成型品２０ｂをセットしてプレス機でプレス成型することにより第２成型品２０ｃを作製する。
【００８２】
その後、前記第２成型品２０ｃに第１支持部３１、第２支持部３４、第１端部カバー部３６及び第２端部カバー部３８を形成する第３成型工程を行い、図１１に示す受けブラケット２０を作製する。この第３成型工程は、本発明における支持部形成工程の一例である。
【００８３】
この第３成型工程では、前記第１及び第２成型工程で用いた金型とは別の金型に前記第２成型品２０ｃをセットしてプレス機でプレス成型することにより受けブラケット２０を作製する。この工程において、前記第１支持部展開部３１ｃが第１受け部本体２９の内側へ曲げ加工されて第１支持部３１が形成され、前記第２支持部展開部３４ｃが第２受け部本体３２の内側へ曲げ加工されて第２支持部３４が形成される。また、前記第１端部カバー部中間形状部３６ｂが曲げ加工されて受け側第１端部カバー部３６が形成され、前記第２端部カバー部中間形状部３８ｂが曲げ加工されて受け側第２端部カバー部３８が形成される。
【００８４】
（被せブラケット作製工程）
この被せブラケット作製工程では、前記受けブラケット作製工程の打ち抜き工程と同様に、被せブラケット２２を平板状に展開した形状からスリット４２ａを除いた形状を有する被せブラケット展開部材を板材（鋼板）から打ち抜く。その後、被せブラケット展開部材に対して前記受けブラケット作製工程と同様の手順で金型を変更しながらプレス成型を行うことにより、被せブラケット２２の支柱カバー部４２、第１被せ部４４、第２被せ部４６、上側補強リブ５２、下側補強リブ５４、被せ側第１端部カバー部４８及び被せ側第２端部カバー部５０を成型する。そして、最後に、支柱カバー部４２のうちスリット４２ａに対応する部分を切除することによりスリット４２ａを形成し、被せブラケット２２を作製する。
【００８５】
本実施形態の防護柵用ブラケット４の製造方法では、前記受けブラケット作製工程の前記打ち抜き工程において、第１受け部貫通孔２９ａの形成と同時に第１支持部３１の原形となる前記第１支持部展開部３１ｃを形成できるとともに、第２受け部貫通孔３２ａの形成と同時に第２支持部３４の原形となる前記第２支持部展開部３４ｃを形成できる。このため、第１受け部貫通孔２９ａの形成とは全く別に第１支持部を形成したり、第２受け部貫通孔２９ａの形成とは全く別に第２支持部を形成したりする場合に比べて工程数を削減することができる。
【００８６】
次に、本実施形態による防護柵１の施工方法について説明する。この防護柵１の施工方法は、支柱設置工程、受けブラケット取付工程、ビーム端部保持工程、被せ工程、第１ビーム締結工程及び第２ビーム締結工程を含む。
【００８７】
（支柱設置工程）
この支柱設置工程では、防護柵１の設置場所に複数の支柱２が特定方向に沿って間隔をあけて並び且つ上下方向に延びるように当該複数の支柱２を設置する。具体的には、複数の支柱２が歩道の延びる方向に沿って間隔をあけて並ぶように当該複数の支柱２を歩道の外寄りの端部上に立設する。
【００８８】
（受けブラケット取付工程）
この受けブラケット取付工程では、前記複数の支柱２の各々に受けブラケット２０を取り付ける（図１２及び図１３参照）。具体的には、各支柱２において上下方向に間隔をおいて配置された複数の支柱貫通孔１１が設けられた各部位に対して歩道の外寄りに複数の受けブラケット２０の支柱取付部２４をそれぞれ配置し、その支柱２の各部位に設けられた一対の支柱貫通孔１１と対応する受けブラケット２０の支柱取付部２４に設けられた取付孔２４ａとに歩道の内側から外側へ向かって支柱固定ボルト５をそれぞれ挿通する。そして、その各支柱固定ボルト５のうち支柱取付部２４から突出した部分にそれぞれ支柱固定ナット６を螺合させ、当該各支柱固定ナット６を締め付けることにより、各支柱２の支柱貫通孔１１が設けられた各部位に受けブラケット２０をそれぞれ取り付ける。
【００８９】
（ビーム端部保持工程）
このビーム端部保持工程では、前記複数の支柱２の隣り合うもの同士の間に、複数のビーム３をそれぞれ配置し、その各ビーム３の長手方向の両端部を前記のように支柱２に取り付けた対応する受けブラケット２０にそれぞれ保持させる。
【００９０】
具体的には、図１４及び図１５に示すように、支柱２に隣接する前記第１ビーム３ａの端部を対応する受けブラケット２０の第１受け部本体２９の内側の空間にその第１受け部本体２９の歩道の内側向きの開口から水平方向に沿って挿入するとともに当該第１ビーム３ａの端部に設けられた一対の第１ビーム貫通孔１２ａのうちの一方の第１ビーム貫通孔１２ａに第１支持部３１を挿入させて当該一方の第１ビーム貫通孔１２ａの上縁部を第１支持部３１上に載置する。これにより、受けブラケット２０の第１受け部２６に第１ビーム３ａの端部を一対の第１ビーム貫通孔１２ａと第１受け部貫通孔２９ａとがそれらの貫通孔への第１ビーム固定ボルト７の挿通が可能となる程度に相互に合致する位置に保持させる。
【００９１】
また、支柱２に隣接する前記第２ビーム３ｂの端部を対応する受けブラケット２０の第２受け部本体３２の内側の空間にその第２受け部本体３２の歩道の内側向きの開口から水平方向に沿って挿入するとともに当該第２ビーム３ｂの端部に設けられた一対の第２ビーム貫通孔１２ｂのうちの一方の第２ビーム貫通孔１２ｂに第２支持部３４を挿入させて当該一方の第２ビーム貫通孔１２ｂの上縁部を第２支持部３４上に載置する。これにより、受けブラケット２０の第２受け部２８に第２ビーム３ｂの端部を一対の第２ビーム貫通孔１２ｂと第２受け部貫通孔３２ａとがそれらの貫通孔への第２ビーム固定ボルト９の挿通が可能となる程度に相互に合致する位置に保持させる。
【００９２】
（被せ工程）
この被せ工程では、被せブラケット２２を、各支柱２と、その支柱２に各受けブラケット２０を介して保持された各第１ビーム３ａの端部及び各第２ビーム３ｂの端部とに対して、歩道の内側から被せる。
【００９３】
具体的には、図１６〜図１８に示すように、第１被せ部４４と第１受け部２６との間で第１ビーム３ａの端部をその径方向の両側から挟み込むように当該第１被せ部４４を第１受け部２６から歩道の内側へ突出した第１ビーム３ａの端部の略半周部分に被せるとともに、第２被せ部４６と第２受け部２８との間で第２ビーム３ｂの端部をその径方向の両側から挟み込むように当該第２被せ部４６を第２受け部２８から歩道の内側へ突出した第２ビーム３ｂの端部の略半周部分に被せる。このとき、第１被せ部貫通孔４４ａと一対の第１ビーム貫通孔１２ａとがそれらの貫通孔への第１ビーム固定ボルト７の挿通が可能となる程度に相互に合致するように第１被せ部４４を第１ビーム３ａの端部に被せるとともに、第２被せ部貫通孔４６ａと一対の第２ビーム貫通孔１２ｂとがそれらの貫通孔への第２ビーム固定ボルト９の挿通が可能となる程度に相互に合致するように第２被せ部４６を第２ビーム３ｂの端部に被せる。また、このとき、支柱固定ボルト５の頭部が支柱カバー部４２のスリット４２ａ内に配置されるようにする。
【００９４】
（第１ビーム締結工程）
この第１ビーム締結工程では、各受けブラケット２０の第１受け部２６と、その第１受け部２６に保持された第１ビーム３ａの端部と、その第１ビーム３ａの端部に被せられた被せブラケット２２の第１被せ部４４とを、第１ビーム固定ボルト７と第１ビーム固定ナット８により締結する。具体的には、各受けブラケット２０の第１受け部貫通孔２９ａと第１ビーム３ａの端部に設けられた一対の第１ビーム貫通孔１２ａと被せブラケット２２の第１被せ部貫通孔４４ａとに第１ビーム固定ボルト７を挿通し、その第１ビーム固定ボルト７に第１ビーム固定ナット８を螺合させる。そして、その第１ビーム固定ナット８を締め付けることにより、第１受け部２６と第１ビーム３ａの端部と第１被せ部４４とを締結する。
【００９５】
（第２ビーム締結工程）
この第２ビーム締結工程では、各受けブラケット２０の第２受け部２８と、その第２受け部２８に保持された第２ビーム３ｂの端部と、その第２ビーム３ｂの端部に被せられた被せブラケット２２の第２被せ部４６とを、第２ビーム固定ボルト９と第２ビーム固定ナット１０により締結する。具体的には、各受けブラケット２０の第２受け部貫通孔３２ａと第２ビーム３ａの端部に設けられた一対の第２ビーム貫通孔１２ｂと被せブラケット２２の第２被せ部貫通孔４６ａとに第２ビーム固定ボルト９を挿通し、その第２ビーム固定ボルト９に第２ビーム固定ナット１０を螺合させる。そして、その第２ビーム固定ナット１０を締め付けることにより、第２受け部２８と第２ビーム３ｂの端部と第２被せ部４６とを締結する。
【００９６】
本実施形態による防護柵１の施工方法では、以上のような一連の工程により防護柵１を施工する。
【００９７】
本発明の構成は、前記のようなものに必ずしも限定されない。例えば、本発明には以下のような構成を採用可能である。
【００９８】
受けブラケットの第１及び第２支持部は、その先端部が基端部と同じ高さ以上の高さに位置していればよい。
【００９９】
また、受けブラケットの第１及び第２支持部は、その基端部から先端部に亘って必ずしも直線的に延びていなくてもよく、多少湾曲しつつ延びていてもよい。
【０１００】
また、各ビーム貫通孔は、長角孔に必ずしも限定されず、その形状は問わない。例えば、各ビーム貫通孔は長丸孔であってもよい。
【０１０１】
また、受けブラケットの第１及び第２支持部の傾斜角度及び第１及び第２受け部本体からの突出長さは、任意に設定可能であり、第１及び第２ビームの端部を第１及び第２受け部本体の内側の空間へ水平方向に沿って挿入しつつ第１及び第２ビーム貫通孔の上縁部を第１及び第２支持部に掛ける作業のしやすさを考慮して適切な傾斜角度及び突出長さに設定することが好ましい。
【０１０２】
また、前記実施形態では、被せブラケット作製工程において最後に支柱カバー部にスリットを形成したが、このスリットを形成する時点は特に問わない。例えば、被せブラケット展開部材を板材から打ち抜く時に同時にスリットを打ち抜いてもよいし、それ以外の時点でスリットを形成してもよい。
【０１０３】
また、前記実施形態では、受けブラケットが２つの受け部、すなわち第１受け部及び第２受け部を有しているが、受けブラケットは第１受け部と第２受け部のいずれか一方の受け部のみを有していてもよい。例えば、防護柵の長手方向の端に位置する支柱にビームの端部を連結するための防護柵用ブラケットでは、このような一方の受け部のみを有する受けブラケットが採用される。また、受けブラケットが一方の受け部のみを有する場合、被せブラケットは第１被せ部と第２被せ部のうち受けブラケットが有する受け部に対応する方の被せ部のみを有していればよい。
【０１０４】
また、本発明による防護柵は、必ずしも歩道の幅方向外寄りの端部に沿って設置されるものに限定されず、任意の場所に設置することが可能である。
【０１０５】
本発明による防護柵は、平面上に設置するものに限定されず、勾配を有する場所に設置することも可能である。その場合、支柱は鉛直方向に延びるように設置される一方、ビームは設置場所の勾配に合わせて斜めに延びるように配置される。従って、ビームは、支柱の延びる方向に対して斜めに交差する方向に延びるように配置される。この場合、本発明による防護柵用ブラケットでは、防護柵の長手方向に沿う方向において受けブラケットの支柱取付部及び被せブラケットの支柱カバー部のうち支柱の両側に位置する部分と支柱との間に隙間があるため、その隙間を利用して支柱に対する防護柵用ブラケットの取付姿勢をビームの延びる方向に応じた傾斜した姿勢に調節できる。このため、第１及び第２受け部が斜めに延びるビームの端部を受けることができるとともに、第１及び第２被せ部を斜めに延びるビームの端部に被せることができ、その結果、斜めに延びるビームの端部を防護柵用ブラケットを介して支柱に連結できる。
【０１０６】
また、本発明による防護柵は、前記実施形態の防護柵のように隣り合う支柱間に上下に間隔をおいて配置された複数のビームが互いに独立していて支柱間でそれらのビーム同士が連結されていない構成のものに必ずしも限定されない。例えば、図１９に示す変形例のように、防護柵１は、隣り合う支柱２間において上下に離れて配置された２本のビーム３と、その２本のビーム３同士を支柱２間において繋ぐ複数の縦桟１３とを有するものであってもよく、このような変形例の防護柵１においても前記実施形態の防護柵用ブラケット４と同様の防護柵用ブラケット４が用いられる。この変形例では、各支柱２の上下２箇所に前記実施形態と同様の防護柵用ブラケット４が取り付けられ、その上下２個所の防護柵用ブラケット４に上下２本のビーム３の端部が前記実施形態と同様にしてそれぞれ締結され、それによって各ビーム３の端部が防護柵用ブラケット４を介して支柱２に連結されている。
【符号の説明】
【０１０７】
１  防護柵
２  支柱
３  ビーム
３ａ  第１ビーム
３ｂ  第２ビーム
４  防護柵用ブラケット
７  第１ビーム固定ボルト（ボルト）
８  第１ビーム固定ナット（ナット）
９  第２ビーム固定ボルト（ボルト）
１０  第２ビーム固定ナット（ナット）
１２ａ  第１ビーム貫通孔（ビーム貫通孔）
１２ｂ  第２ビーム貫通孔（ビーム貫通孔）
２０  受けブラケット
２２  被せブラケット
２４  支柱取付部
２６  第１受け部（受け部）
２８  第２受け部（受け部）
２９  第１受け部本体（受け部本体）
２９ａ  第１受け部貫通孔（受け部貫通孔）
３１  第１支持部（支持部）
３２  第２受け部本体（受け部本体）
３２ａ  第２受け部貫通孔（受け部貫通孔）
３４  第２支持部（支持部）
４４  第１被せ部（被せ部）
４４ａ  第１被せ部貫通孔（被せ部貫通孔）
４６  第２被せ部（被せ部）
４６ａ  第２被せ部貫通孔（被せ部貫通孔）
【図１】
2020066855.tif 000003
【図２】
2020066855.tif 000004
【図３】
2020066855.tif 000005
【図４】
2020066855.tif 000006
【図５】
2020066855.tif 000007
【図６】
2020066855.tif 000008
【図７】
2020066855.tif 000009
【図８】
2020066855.tif 000010
【図９】
2020066855.tif 000011
【図１０】
2020066855.tif 000012
【図１１】
2020066855.tif 000013
【図１２】
2020066855.tif 000014
【図１３】
2020066855.tif 000015
【図１４】
2020066855.tif 000016
【図１５】
2020066855.tif 000017
【図１６】
2020066855.tif 000018
【図１７】
2020066855.tif 000019
【図１８】
2020066855.tif 000020
【図１９】
2020066855.tif 000021